(57)【要約】【課題】キャスターのロックおよびロック解除の切り替えをハンドルの回動に連動して円滑に行うことを可能としたベビーカーを提供する。【解決手段】前脚フレームの上端部および後脚フレームの上端部が回動可能に支持されるアームレスト１７と、背面押し位置と対面押し位置とに移動するハンドル２３と、前輪１１ａおよび後輪１２ａのキャスターをロックするキャスターロック機構３１とを備える。キャスターロック機構３１は、アームレスト１７に配置され、突起３３を備えるプーリ３２と、前輪１１ａおよび後輪１２ａのキャスターをロックする前ロック部１１ｄおよび後ロック部１２ｄとプーリ３２とを接続する前ワイヤ１１ｇおよび後ワイヤ１２ｇとを備える。ハンドル２３が対面押し位置に移動されるとき、ハンドル２３が突起３３を押してプーリ３２を回動し、前ワイヤ１１ｇを通じて前輪１１ａのキャスターをロックする。【選択図】図３
2019131025.tif 000002
【特許請求の範囲】
【請求項１】
下端部にキャスター付き前輪を備えた前脚フレームと、ベビーカーが折畳状態と展開状態との間で切り替わる際に前記前脚フレームに対する位置が変化する後脚フレームであって、下端部にキャスター付き後輪を備えた前記後脚フレームと、前記前脚フレームの上端部および前記後脚フレームの上端部が回動可能に支持されるアームレストと、前記ベビーカー後方の背面押し位置と前方の対面押し位置とに移動するハンドルと、前記展開状態において、前記ベビーカーの進行方向となる前輪または後輪のキャスターをロックするキャスターロック機構とを備え、
前記キャスターロック機構は、前記アームレストに配置されるプーリであって、前記ハンドルに押される突起を備え、前記突起が前記ハンドルに押されて回動する前記プーリと、
前記前輪のキャスターをロックする前ロック部と前記プーリとを接続するとともに、前記後輪のキャスターをロックする後ロック部と前記プーリとを接続するワイヤとを備え、
前記ハンドルが前記背面押し位置のとき、前記前輪のキャスターのロックを解除しており、前記ハンドルが前記対面押し位置に移動されると、前記ハンドルが前記突起を押してプーリを回動し、前記ワイヤを介して前記前輪のキャスターをロックするベビーカー。
【請求項２】
前記前ロック部は、前記前輪のキャスターをロックする方向に付勢されており、
前記後ロック部は、前記後輪のキャスターをロックする方向に付勢されており、
前記プーリは、前記前輪のキャスターのロックを解除する方向に付勢されており、
前記ハンドルが前記背面押し位置のとき、前記プーリは、前記プーリの付勢力によって、前記前ロック部による前記前輪のキャスターのロックを解除し、前記後ロック部に前記後輪のキャスターを付勢力によりロックさせる
請求項１に記載のベビーカー。
【請求項３】
前記前脚フレームの上端部および前記後脚フレームの上端部の前記アームレストに対する回動支点は、一致しており、当該回動支点は前記プーリの回動支点と一致している
請求項１または２に記載のベビーカー。
【請求項４】
前記プーリは、前記アームレストに内蔵されており、
前記ハンドルは、前記ベビーカーの進行方向に対して直交する幅方向において、前記アームレストより外側に位置し、
前記突起は、前記アームレストより前記幅方向の外側に突出して、前記ハンドルの移動経路と交差している
請求項１ないし３のうち、何れか１項に記載のベビーカー。
【請求項５】
前記ベビーカーは、前記対面押し位置を規定する前規定部を備え、
前記ハンドルが前記前規定部に当接したタイミングで前記突起を押してプーリを回動し、前記後輪のキャスターのロックを解除し前記前輪のキャスターのロックする
請求項１ないし４のうち、何れか１項に記載のベビーカー。
【発明の詳細な説明】
【技術分野】
【０００１】
本発明は、ハンドルが背面押し位置と対面押し位置との間を移動することに連動して、前輪と後輪のキャスターを選択的にロックする折り畳み式のベビーカーに関する。
【背景技術】
【０００２】
特許文献１などに示すように、ベビーカーには、ハンドルがベビーカー後方の背面押し位置とベビーカー前方の対面押し位置とに移動するものがある。この種のベビーカーでは、ハンドルが背面押し位置のとき、前輪キャスターのロックが解除され、後輪のキャスターがロックされる。また、ハンドルが対面押し位置のとき、前輪キャスターがロックされ、後輪のキャスターのロックが解除される。このようなキャスターのロックおよびロック解除の切り替えは、ハンドルの回動に連動して行われる。
【先行技術文献】
【特許文献】
【０００３】
【特許文献１】特許第６１２６４７８号公報
【発明の概要】
【発明が解決しようとする課題】
【０００４】
本発明は、キャスターのロックおよびロック解除の切り替えをハンドルの回動に連動して簡単に行うことを可能としたベビーカーを提供することを目的とする。
【課題を解決するための手段】
【０００５】
以上のような課題を解決するベビーカーは、下端部にキャスター付き前輪を備えた前脚フレームと、ベビーカーが折畳状態と展開状態との間で切り替わる際に前記前脚フレームに対する位置が変化する後脚フレームであって、下端部にキャスター付き後輪を備えた後脚フレームと、前記前脚フレームの上端部および前記後脚フレームの上端部が回動可能に支持されるアームレストと、前記ベビーカー後方の背面押し位置と前方の対面押し位置とに移動するハンドルと、前記ベビーカーの進行方向となる前輪または後輪のキャスターをロックするキャスターロック機構とを備える。この場合、前記キャスターロック機構は、前記アームレストに配置されるプーリであって、前記ハンドルに押される突起を備え、前記突起が前記ハンドルに押されて回動する前記プーリと、前記前輪のキャスターをロックする前ロック部と前記プーリとを接続するとともに、前記後輪のキャスターをロックする後ロック部と前記プーリとを接続するワイヤとを備え、前記ハンドルが前記背面押し位置のとき、前記前輪のキャスターのロックを解除しており、前記ハンドルが前記対面押し位置に移動されると、前記ハンドルが前記突起を押してプーリを回動し、前記ワイヤを介して前記前輪のキャスターをロックすることが好ましい。
【０００６】
上記構成によれば、ハンドルが背面押し位置のときは、進行方向となる前輪のキャスターのロックが解除され、後輪のキャスターがロックされている。そして、ハンドルが対面押し位置に移動されると、ハンドルが突起を押してプーリを回動し、ワイヤを通じて前輪のキャスターをロックし、進行方向となる後輪のキャスターのロックが解除されることになる。このように、ハンドルを対面押し位置と背面押し位置との間で移動させたとき、ハンドルの移動に連動して前輪のキャスターと後輪のキャスターのロックとロック解除を選択的に切り替えることができ、キャスターのロック切り替えの作業が簡単なものとなる。
【０００７】
上記ベビーカーにおいて、前記前ロック部は、前記前輪のキャスターをロックする方向に付勢されており、前記後ロック部は、前記後輪のキャスターをロックする方向に付勢された構成としてもよい。さらに、前記プーリは、前記前輪のキャスターをロックを解除する方向に付勢された構成としてもよい。この場合、前記ハンドルが前記背面押し位置のとき、前記プーリは、前記プーリの付勢力によって、前記前ロック部による前記前輪のキャスターのロックを解除し、前記後ロック部に前記後輪のキャスターを付勢力によりロックさせる構成とすることができる。
【０００８】
上記構成によれば、背面押しに望ましい、進行方向のキャスター付き前輪が旋回可能で、キャスター付き後輪が旋回不能な状態を自ずと作り出すことができる。
【０００９】
上記ベビーカーにおいて、前記前脚フレームの上端部および前記後脚フレームの上端部の前記アームレストに対する回動支点は、一致しており、当該回動支点は前記プーリの回動支点と一致している構成としてもよい。
【００１０】
上記構成によれば、プーリの取付構造を簡素化することができる。
【００１１】
上記ベビーカーにおいて、前記プーリは、前記アームレストに内蔵されており、前記ハンドルは、前記ベビーカーの進行方向に対して直交する幅方向において、前記アームレストより外側に位置し、前記突起は、前記アームレストより前記幅方向の外側に突出して、前記ハンドルの移動経路と交差している構成としてもよい。
【００１２】
上記構成によれば、突起をハンドルの移動経路に位置させることができ、これにより、ハンドルの移動に連動させて、前輪のキャスターと後輪のキャスターのロックとロック解除を切り替えることができる。
【００１３】
上記ベビーカーにおいて、前記ベビーカーは、前記対面押し位置を規定する前規定部を備え、前記ハンドルが前記前規定部に当接したタイミングで前記突起を押してプーリを回動し、前記後輪のキャスターのロックを解除し前記前輪のキャスターのロックする構成としてもよい。
【００１４】
上記構成によれば、ハンドルが前規定部に当接したタイミングで、後輪のキャスターのロックを解除し前輪のキャスターのロックすることができる。すなわち、ハンドルが対面押し位置に確実に位置するまでは、キャスター付き後輪が旋回してしまうことを防ぐことができる。
【発明の効果】
【００１５】
本発明は、キャスターのロックおよびロック解除の切り替えをハンドルの回動に連動して簡単に行うことを可能としたベビーカーを提供することができる。
【図面の簡単な説明】
【００１６】
【図１】ベビーカーを前方から見た斜視図。
【図２】ベビーカーを後方から見た斜視図。
【図３】ハンドルが背面押し位置にあるときのロック機構の状態を示す側面図。
【図４】ハンドルが対面押し位置にあるときのロック機構の状態を示す側面図。
【発明を実施するための形態】
【００１７】
以下、図１〜図４を参照して、本発明の第１実施形態としてのベビーカーを説明する。
図１は、乳幼児などを乗せて使用するための一人乗りの折り畳み式のベビーカー１であり、展開状態において、乳幼児などを寝かせた姿勢や座らせた姿勢で使用する。図１に示すベビーカー１の状態は、ハンドルがベビーカー後方に位置し、後方からベビーカー１を操作する背面押しの状態を示している。以下の説明では、背面押しの状態を基準にして、進行方向を「前方」と定義し、進行方向に対して反対方向を後方（背面）と定義し、さらに進行方向に対して左右方向を左右（幅）方向と定義し、進行方向に対して上下方向を上下と定義する。なお、図１〜図４では、クッション材等からなるシート部材や幌を割愛している。
【００１８】
図１および図２に示すように、このベビーカー１は、一対の前脚フレーム１１と、一対の後脚フレーム１２と、乳幼児などが着座する着座部を構成するシートフレーム１３とを備えている。各前脚フレーム１１は、全体がほぼ直線的な形状を有しており、下端部にキャスター付きの前輪１１ａが配置されている。各後脚フレーム１２は、全体が前方に反るような弓型の形状を有しており、下端部には、キャスター付きの後輪１２ａが配置されている。一対の前脚フレーム１１は、左右方向に横断する前ステー１４によって連結されており、一対の後脚フレーム１２も、左右方向に横断する後ステー１５によって連結されている。前ステー１４には、着座している乳幼児等が足を掛けるステップ１６が配置されている。
【００１９】
一対の前脚フレーム１１の上端部は、アームレスト１７の前方部分に回動可能に支持されている。一対の後脚フレーム１２の上端部も、アームレスト１７の前方部分に回動可能に支持されている。前脚フレーム１１の上端部および後脚フレーム１２の上端部は、一例として同じ軸２０ａによって支持されている。各後脚フレーム１２の長さ方向における中程外側には、ブラケット１８の下端部が回動軸２０ｂによって回動可能に取り付けられている。
【００２０】
また、シートフレーム１３は、シートが取り付けられることによって、着座部が構成される。シートフレーム１３の前方端部は、各前脚フレーム１１の長さ方向における中程内側に前脚ブラケット１３ａを介して回動可能に取り付けられる。また、シートフレーム１３の後端部は、連結フレーム１９の下端部に支軸２０ｃによって回動可能に取り付けられる。また、シートフレーム１３の後端部は、リクライニングフレーム２９が回動可能に取り付けられる。
【００２１】
各ブラケット１８の上端部には、その内側に、連結フレーム１９の下端部が支軸２０ｃによって回動可能に取り付けられている。各連結フレーム１９は、直線状のパイプであって、ブラケット１８とアームレスト１７との間を連結する。連結フレーム１９の上端部は、アームレスト１７の後端部に軸体２１によって回動可能に取り付けられる。アームレスト１７の前端部には、フロントガード２２が着脱可能に取り付けられる。
【００２２】
各連結フレーム１９の更に外側には、ベビーカー１を押して操作するハンドル２３が配置されている。ハンドル２３は、全体がＵ字形状を有しており、ベビーカー１の幅方向において、最も外側に配置される部材である。ハンドル２３は、ブラケット１８の外側に位置する一対の縦フレーム２３ａと、一対の縦フレーム２３ａを連結する操作フレーム２３ｂとを備えている。操作フレーム２３ｂは、中央部に、操作者によって操作される開閉操作部２４が配置されている。開閉操作部２４が操作されることによってベビーカー１は折畳状態と展開状態に切り替わる。
【００２３】
ベビーカー１の幅方向において、外側から内側に向かって、ハンドル２３の縦フレーム２３ａ、ブラケット１８、連結フレーム１９、シートフレーム１３の後端部の順に配置されている。ブラケット１８の上端部、および、連結フレーム１９の下端部は、同じ支軸２０ｃによって回動可能に支持されている。ハンドル２３の下端部は、連結フレーム１９の中程に軸部材２１ａによって回動可能に支持されている。ハンドル２３は、軸部材２１ａを中心にベビーカー１の後方である背面押し位置（実線で示すハンドル２３の位置）とベビーカー１の前方である対面押し位置（二点鎖線で示すハンドル２３の位置）の２つの位置の間を移動する。連結フレーム１９には、背面押し位置にあるハンドル２３がベビーカー１の後方に回動し過ぎることを規制する縦フレーム２３ａが係合する受け片で構成された後規定部２６を備えている。また、アームレスト１７は、対面押し位置にあるハンドル２３がベビーカー１の前方に回動し過ぎることを規制する前規定部２７を備えている。前規定部２７は、アームレスト１７の幅方向の外側の側面において、縦フレーム２３ａが係合する受け段部で構成されている。また、ベビーカー１は、相対的に、縦フレーム２３ａ、ブラケット１８、連結フレーム１９、アームレスト１７、前脚フレーム１１、および、後脚フレーム１２が回動することで、展開状態と折畳状態に遷移することができる。
【００２４】
このベビーカー１では、キャスター付き前輪１１ａのキャスターおよび後輪１２ａのキャスターを選択的にロックするキャスターロック機構３１を備えている。キャスターロック機構３１は、ハンドル２３が背面押し位置の状態にあるとき、進行方向となる前輪１１ａのキャスターのロックを解除し前輪１１ａを旋回可能とし、後輪１２ａのキャスターをロックし旋回不能な状態とする。また、ハンドル２３が対面押しの状態にあるとき、前輪１１ａのキャスターをロックし旋回不能な状態とし、進行方向となる後輪１２ａのキャスターのロックを解除し後輪１２ａを旋回可能な状態とする。すなわち、キャスターロック機構３１は、ベビーカー１の進行方向の車輪のキャスターを旋回可能とし、進行方向と反対側の車輪のキャスターを旋回不能にロックする。
【００２５】
キャスターロック機構３１は、このような前輪１１ａのキャスターおよび後輪１２ａのキャスターのロック／ロック解除の切り替えをハンドル２３の移動に連動させて行う。図３に示すように、キャスターロック機構３１の一部を構成する機構であって、前輪１１ａのキャスターの旋回をロックする機構は、前脚フレーム１１の下端部に固定される前取付部１１ｂと、前取付部１１ｂに対して旋回する前旋回部１１ｃとを備えている。そして、前取付部１１ｂは、前旋回部１１ｃの旋回をロックする前ロック部１１ｄを備え、前旋回部１１ｃは、前ロック部１１ｄが係合される前被ロック部１１ｅを備えている。前ロック部１１ｄは、一例として、ロックピンなどのロック部材であり、前被ロック部１１ｅは、一例として、前ロック部１１ｄが係合されるロック孔である。前ロック部１１ｄは、前付勢部材１１ｆによって、常時、前被ロック部１１ｅに係合するロック方向（矢印Ｄ１方向）に付勢されている。前付勢部材１１ｆは、一例として、コイルバネや捻じりコイルバネなどである。一例として、前旋回部１１ｃの前取付部１１ｂの旋回中心に対してずれた位置に前被ロック部１１ｅのロック孔を設け、この位置の前被ロック部１１ｅに対して前ロック部１１ｄのロックピンが係合することで、前旋回部１１ｃの旋回を禁止することができる。
【００２６】
なお、キャスターロック機構３１の一部を構成する後輪１２ａのキャスターの旋回をロックする機構も、前輪１１ａのキャスターと同様な構成を有しており、後取付部１２ｂと、後旋回部１２ｃと、後ロック部１２ｄと、後被ロック部１２ｅとを備えている。そして、後ロック部１２ｄは、後付勢部材１２ｆによって、常時、後被ロック部１２ｅに係合するロック方向（矢印Ｄ１方向）に付勢されている。
【００２７】
キャスターロック機構３１は、さらにアームレスト１７の内部に配置されるプーリ３２と、プーリ３２と前ロック部１１ｄとを接続する前ワイヤ１１ｇと、プーリ３２と後ロック部１２ｄとを接続する後ワイヤ１２ｇとを備えている。
【００２８】
プーリ３２は、アームレスト１７の内部において、回動支点３２ａを有している。一例として、プーリ３２は、前脚フレーム１１の上端部および後脚フレーム１２の上端部の回動支点である軸２０ａと一致した位置に回動支点３２ａを有している。この場合、一例として、プーリ３２を軸２０ａに取り付けることで、構成を簡素化できる。プーリ３２は、さらにベビーカー１の幅方向において外側を向く面に突起３３を備えている。突起３３は、アームレスト１７の幅方向の外側の側面に設けられた貫通孔３３ａを介して外部に露出されている。そして、突起３３は、ハンドル２３の縦フレーム２３ａの移動経路３４と交差し、移動する縦フレーム２３ａによって押圧可能な程度にアームレスト１７の幅方向の外側面１７ａから突出している。
【００２９】
また、アームレスト１７の内部において、プーリ３２が配置される位置は、縦フレーム２３ａが対面押し位置に至るタイミングで突起３３が押圧される位置である。アームレスト１７の内部には、さらに、プーリ３２をベビーカー１の後方（矢印Ｄ２方向）に向けて付勢する付勢部材３５を備えている。付勢部材３５は、一例として、コイルバネや捻じりコイルバネなどである。付勢部材３５は、前付勢部材１１ｆの付勢力よりも大きい付勢力に設定されている。
【００３０】
また、プーリ３２は、前ワイヤ１１ｇが取り付けられる前ワイヤ固定部３６ａと、後ワイヤ１２ｇが取り付けられる後ワイヤ固定部３６ｂとを備えている。前ワイヤ１１ｇおよび後ワイヤ１２ｇは、共に、一例としてミニロープで構成されている。すなわち、前ワイヤ１１ｇおよび後ワイヤ１２ｇは、金属細線と、金属細線が内部に挿通されるアウタチューブとを備えている。前ワイヤ固定部３６ａには、前ワイヤ１１ｇの金属細線の一端部が固定され、後ワイヤ固定部３６ｂには、後ワイヤ１２ｇの金属細線の一端部が固定される。また、前ワイヤ１１ｇの金属細線は、反対側の他端部が前ロック部１１ｄに固定され、後ワイヤ１２ｇの金属細線は、反対側の他端部が後ロック部１２ｄに固定される。前ワイヤ１１ｇは、前脚フレーム１１内に挿通され、後ワイヤ１２ｇは、後脚フレーム１２内に挿通され、共に、外部から隠れるように配設されている。
【００３１】
次に、以上のようなキャスターロック機構３１を備えたベビーカー１の作用について説明する。
図３に示すように、ハンドル２３が背面押し位置にあるとき、プーリ３２は、付勢部材３５の付勢力を受けて矢印Ｄ２方向に回動した状態にある。ここで、付勢部材３５の付勢力は、前付勢部材１１ｆの付勢力よりも大きい。したがって、プーリ３２は、前ロック部１１ｄを、前付勢部材１１ｆの付勢力に抗して、前ワイヤ１１ｇを通じて前被ロック部１１ｅから引き上げ、前ロック部１１ｄは、前被ロック部１１ｅと係合していないロック解除状態となっている。したがって、キャスター付き前輪１１ａは、前取付部１１ｂに対して前旋回部１１ｃが旋回可能な状態となる。これに対して、後ロック部１２ｄは、後ワイヤ１２ｇが緩んでおり、後付勢部材１２ｆの付勢力によって後被ロック部１２ｅに係合したロック状態となっている。したがって、キャスター付き後輪１２ａは、後取付部１２ｂに対して後旋回部１２ｃが旋回不能な状態となる。
【００３２】
かくして、ハンドル２３が背面押し位置にあるとき、進行方向のキャスター付き前輪１１ａが旋回可能で、キャスター付き後輪１２ａが旋回不能な状態となり、円滑に、ベビーカー１を背面押しで走行させることができる。
【００３３】
図４に示すように、ベビーカー１は、ハンドル２３が背面押し位置から対面押し位置に回動させることができる。プーリ３２の突起３３は、ハンドル２３が対面押し位置に移動したタイミングで縦フレーム２３ａに押圧される。一例として、ハンドル２３は、突起３３が係合する凹部形状を有した係合部３７を備えている。係合部３７は、縦フレーム２３ａにおけるアームレストの外側面１７ａと対向する面に備え、縦フレーム２３ａが背面押し位置から対面押し位置に移動するとき、突起３３を向かい入れる側を開口端としている。プーリ３２は、突起３３が係合部３７に係合することで、付勢部材３５の付勢力に抗して反矢印Ｄ２方向に回動する。すると、前ロック部１１ｄは、前ワイヤ１１ｇが緩み、前付勢部材１１ｆの付勢力によって前被ロック部１１ｅに係合したロック状態となる。これに対して、後ロック部１２ｄは、後ワイヤ１２ｇを通じて後被ロック部１２ｅから引き上げられ、後被ロック部１２ｅと係合していないロック解除状態となる。したがって、キャスター付き後輪１２ａは、後取付部１２ｂに対して後旋回部１２ｃが旋回可能な状態となる。
【００３４】
かくして、ハンドル２３が対面押し位置にあるとき、進行方向のキャスター付き後輪１２ａが旋回可能で、キャスター付き前輪１１ａが旋回不能な状態となり、円滑に、ベビーカー１を対面押しで走行させることができる。
【００３５】
なお、ハンドル２３を対面押し位置から背面押し位置に戻したときには、図３の状態に戻ることになる。
【００３６】
以上のようなベビーカー１によれば、以下に列挙する効果が得られる。
（１）プーリ３２をアームレスト１７に配置することで、ハンドル２３の移動に合わせて、プーリ３２を回動させることができる。これにより、ハンドル２３の移動に連動して、キャスター付き前輪１１ａのキャスターとキャスター付き後輪１２ａのキャスターのロックとロック解除を切り替えることができ、キャスターのロック切り替えの作業が簡単なものとなる。
【００３７】
（２）キャスターロック機構３１において、プーリ３２をアームレスト１７に配置することで、アームレスト１７から延びる前脚フレーム１１の内部に前ワイヤ１１ｇを延在させることができ、後脚フレーム１２の内部に後ワイヤ１２ｇを延在させることができる。これにより、前ワイヤ１１ｇや後ワイヤ１２ｇが外方に露出することがなくなり、ベビーカー１の見栄えの悪化を防ぐことができる。
【００３８】
（３）プーリ３２をアームレスト１７に配置することで、前ワイヤ１１ｇを前脚フレーム１１の内部に延在させ、後ワイヤ１２ｇを後脚フレーム１２の内部に延在させることができ、前ワイヤ１１ｇおよび後ワイヤ１２ｇの長さを短く経路を簡素にすることができる。すなわち、前ワイヤ１１ｇおよび後ワイヤ１２ｇをブラケット１８や連結フレーム１９などを経由させる必要がなくなり、キャスターロック機構３１を簡素化することができる。
【００３９】
（４）プーリ３２は、付勢部材３５によって、ベビーカー１の後方（矢印Ｄ２方向）に向けて付勢されている。これにより、背面押しに望ましい、進行方向のキャスター付き前輪１１ａが旋回可能で、キャスター付き後輪１２ａが旋回不能な状態を自ずと作り出すことができる。そして、ハンドル２３が背面押し位置から対面押し位置に回動させることで、自ずと、対面押しに望ましい進行方向のキャスター付き後輪１２ａが旋回可能で、キャスター付き前輪１１ａが旋回不能な状態作り出すことができる。
【００４０】
（５）前脚フレーム１１の上端部および後脚フレーム１２の上端部のアームレスト１７に対する回動支点にプーリ３２の回動支点を一致させることで、プーリ３２の取付構造を簡素化することができる。
【００４１】
（６）プーリ３２は、アームレスト１７に内蔵されることで、ベビーカー１の見栄えの悪化を防ぐことができる。プーリ３２が破損したり脱落したりしてキャスターロック機構３１が故障することを防ぐことができる。
【００４２】
（７）プーリ３２にアームレスト１７より外側面１７ａから突出する突起３３を設けることで、突起３３をハンドル２３の移動経路３４に位置させることができ、これにより、ハンドル２３の移動に連動させて、キャスター付き前輪１１ａのキャスターとキャスター付き後輪１２ａのキャスターのロックとロック解除を切り替えることができる。
【００４３】
（８）ハンドル２３の移動範囲を、後規定部２６と前規定部２７とによって正確に規定することができる。そして、ハンドル２３が前規定部２７に当接したタイミングで、後輪１２ａのキャスターのロックを解除し前輪１１ａのキャスターのロックすることができる。これにより、ハンドル２３が対面押し位置に確実に位置するまでは、キャスター付き後輪１２ａが旋回してしまうことを防ぐことができる。
【００４４】
なお、上記ベビーカー１は、以下のように変更してもよい。
・ベビーカー１において、ハンドル２３が背面押し位置から対面押し位置に移動する過程（途中）で、後輪１２ａのキャスターのロックを解除し、前輪１１ａのキャスターのロックするようにしてもよい。また、ハンドル２３が対面押し位置から背面押し位置に移動する過程で、後輪１２ａのキャスターをロックし、前輪１１ａのキャスターのロックを解除するようにしてもよい。
【００４５】
・プーリ３２の回動支点３２ａと前脚フレーム１１の上端部および後脚フレーム１２の上端部のアームレスト１７に対する軸２０ａの回動支点とは一致していなくてもよい。
・プーリ３２をプーリ３２は、付勢部材３５によって、ベビーカー１の後方（矢印Ｄ２方向）に向けて付勢する付勢部材３５は、省略してもよい。一例として、突起３３を常時ハンドル２３の縦フレーム２３ａに常に係合させて、プーリ３２を縦フレーム２３ａの移動と連携して回動させるようにしてもよい。
【００４６】
・前ワイヤ１１ｇとプーリ３２は、直接接続されているのではなく、連結具を介して接続されていてもよい。後ワイヤ１２ｇとプーリ３２も、直接接続されているのではなく、連結具を介して接続されていてもよい。さらに、前ワイヤ１１ｇと後ワイヤ１２ｇとは、２本ではなく一連の１本のワイヤで構成し、１本のワイヤの中間部において、プーリ３２を固定するようにしてもよい。
【００４７】
・プーリ３２の突起３３は、縦フレーム２３ａの係合部３７に係合し押圧されるのではなく、縦フレーム２３ａの対面押し位置側の縁部で押されるようにしてもよい。これにより、縦フレーム２３ａから係合部３７の構成を省略することができ、構造の簡素化を実現することができる。
【符号の説明】
【００４８】
１…ベビーカー、１１…前脚フレーム、１１ａ…前輪、１１ｂ…前取付部、１１ｃ…前旋回部、１１ｄ…前ロック部、１１ｅ…前被ロック部、１１ｆ…前付勢部材、１１ｇ…前ワイヤ、１２…後脚フレーム、１２ａ…後輪、１２ｂ…後取付部、１２ｃ…後旋回部、１２ｄ…後ロック部、１２ｅ…後被ロック部、１２ｆ…後付勢部材、１２ｇ…後ワイヤ、１３…シートフレーム、１３ａ…ブラケット、１４…前ステー、１５…後ステー、１６…ステップ、１７…アームレスト、１７ａ…外側面、１８…ブラケット、１９…連結フレーム、２０ａ…軸、２０ｂ…回動軸、２０ｃ…支軸、２１…軸体、２１ａ…軸部材、２２…フロントガード、２３…ハンドル、２３ａ…縦フレーム、２３ｂ…操作フレーム、２４…開閉操作部、２６…後規定部、２７…前規定部、２９…リクライニングフレーム、３１…キャスターロック機構、３２…プーリ、３２ａ…回動支点、３３…突起、３３ａ…貫通孔、３４…移動経路、３５…付勢部材、３６ａ…前ワイヤ固定部、３６ｂ…後ワイヤ固定部、３７…係合部。
【図１】
2019131025.tif 000003
【図２】
2019131025.tif 000004
【図３】
2019131025.tif 000005
【図４】
2019131025.tif 000006